(57)【要約】【課題】室内でアースを施行する際、熱交換器前面にアース線固定ねじ部があると、熱交換器を運転する際に吸込み空気の流路抵抗が増す要因となる。【解決手段】空気調和機のアースを室内にて施行する際、吸い込み空気の流路抵抗を減らすため、熱交換器に設けたアース線固定ねじ部を従来の熱交換器前面から熱交換器側方に移動させた。また、上記アース線固定ねじ部よりアース線を斜め上方に導き、室内ユニット背面へと導くアース線案内溝を設けた。上記アース線固定ねじ部をフランジ状に覆う構造を筐体に設けた。空気調和機の冷房・除湿運転時に熱交換器側方に設けられたアース線固定ねじ部から滴下する露を、周囲に飛散させることなく上記熱交換器下方に設けられたドレンパンに確実に導くことができる構造を筐体内側に設けた。アース線固定ねじ部およびアース線案内溝を覆うカバーを設けた。【選択図】  図１
2004177062.tif 000002
【特許請求の範囲】
【請求項１】
空気調和機の室内ユニット筐体に室内熱交換器と室内電気品箱を内蔵し、上記室内熱交換器の側方部位に室内アース施工用のアース線固定ねじ部を設けたことを特徴とする空気調和機。
【請求項２】
上記筐体において、アース線を上記アース線固定ねじ部から斜め上方に導き、上記筐体と一体成形されたアース線案内溝を通って室内ユニット背面へと導く構造を備えることを特徴とする請求項１に記載の空気調和機。
【請求項３】
上記アース線固定ねじ部をフランジ状に囲う構造を上記筐体に備えることを特徴とする請求項１および２に記載の空気調和機。
【請求項４】
上記アース線固定ねじ部下方に露をドレンパンへ案内する構造を上記筐体内側に一体成形したことを特徴とする請求項１〜３に記載の空気調和機。
【請求項５】
上記アース線固定ねじ部と上記アース線案内溝を覆うカバーを備えることを特徴とする請求項１〜４に記載の空気調和機。
【発明の詳細な説明】
【０００１】
【発明の属する技術分野】
本発明は空気調和機に関し、空気調和機を据え付けた室内でアースを施工する際に、一端が熱交換器のアース線固定ねじ部に接続され、他端が室内のアース端子に接続された場合の筐体の構造（アース線固定ねじ部周辺およびアース線案内の構造）に関する。
【０００２】
【従来の技術】
空気調和機のアース施工には、室外ユニットからアース施工する場合と室内ユニットからアース施工する場合とが考えられる。このうち、室内ユニットからアース施工する際、その配線方法として、アース線の一端を空気調和機の室内熱交換器のアース線固定ねじ部に接続し、他端を空気調和器を据え付けた室内のアース端子に接続する方法が挙げられる。空気調和機を冷房・除湿運転すると、室内熱交換器の冷却に伴い熱交換器を通過する室内空気から凝縮水すなわち露が発生する。熱交換器のアース線固定ねじ部にも、露が溜まり滴下するので、この露を周囲に飛散させることなく熱交換器下方に設けたドレンパンに導くことができるような工夫がなされている。例えば、アース線固定ねじ部下方に水飛び防止部材を設ける方法や、アース線をＵ字状に配線し、露をそのアース線に沿って流し最下部からドレンパンに滴下させる方法（特開平９−９６４２４号公報）などが挙げられる。
【０００３】
【特許文献１】
特開平９−９６４２４号公報
【０００４】
【発明が解決しようとする課題】
上記した従来の空気調和機では、次のような問題があった。
【０００５】
すなわち、室内でアースを施行する際、熱交換器前面にアース線固定ねじ部があると、空気調和機を運転する際に吸い込み空気の流路抵抗が増す要因となる。吸い込み空気の流路抵抗が増せば空気調和機の運転時の負荷が増加するから、空気調和機の省エネ化の観点からこれを減らす工夫が必要である。
【０００６】
また、アース線固定ねじ部に溜まった露がアース線を伝わり電気品箱へ流入し電気品を濡らす恐れがある。露が電気品箱へ流入する事を防止するため、上記公知事例にあるようにアース線固定ねじ部に取り付けたアース線を一端下方に引き回し、ドレンパン近傍でＵ字状に折り曲げて再び上方に戻す構造で発生した露をドレンパンに導く方法もあるが、露を確実にドレンパンに導くためには、アース線を確実に固定するための構造が必要であるとともに従来と比べ、アース線を延長する必要がある。
【０００７】
また、アース線取り付け作業時に、誤ってアース線固定ねじが落下した場合、従来の構造では、ねじが構造部品内部に入り込む恐れがある。
【０００８】
また、冷房・除湿運転時に露がアース線固定ねじ部から直接ドレンパンに滴下する構造であると、露が滴下する際に飛散し筐体内側に付着する可能性があり、さらに筐体内側に付着した露の量が増加すればそれが垂れて筐体内側を下部に向かって流れ、筐体の外に漏れる可能性がある。
【０００９】
また、熱交換器のアース線固定部の金具端面は錆びやすいため、利用者が清掃を行う時に美観を損ねるといった問題点がある。
【００１０】
そこで本発明では、熱交換器のアース線固定ねじ部の位置を熱交換器前面から熱交換器側方に移動することによって吸込空気の流路抵抗を減らす構造とした。
【００１１】
さらに、アース線をアース線固定ねじ部から斜め上方へ導き、アース線案内溝を通ってユニット背面へと配線する構造とした。
【００１２】
さらに、アース線固定ねじ部をフランジ状に覆うことにより、室内アース線取り付けの際、誤ってアース線固定ねじが構造部品内部に侵入しない構造とした。
【００１３】
さらに、アース線固定ねじ部で発生した露を周囲に飛散させることなく確実にドレンパンに導くような室内筐体構造とした。
【００１４】
さらに、アース線固定ねじ部とアース線案内溝を覆うカバーを備えることにより、利用者が空気調和機を清掃する際、熱交換器のアース線固定部の金具端面の錆が見えず、美観を損なうことがないような構造とした。
【００１５】
以上のような筐体構造を備えた空気調和機を提案する。
【００１６】
【課題を解決するための手段】
上記課題を解決するために本発明では、空気調和機のアースを室内にて施行する際、吸い込み空気の流路抵抗を減らすため、熱交換器に設けたアース線固定ねじ部を従来の熱交換器前面から熱交換器側方に移動させた。
【００１７】
また、上記アース線固定ねじ部よりアース線を斜め上方に導き、室内ユニット背面へと導くアース線案内溝を設けた。
【００１８】
また、上記アース線固定ねじ部をフランジ状に覆う構造を筐体に設けた。
【００１９】
また、空気調和機の冷房・除湿運転時に熱交換器側方に設けられたアース線固定ねじ部から滴下する露を、周囲に飛散させることなく上記熱交換器下方に設けられたドレンパンに確実に導くことができる構造を筐体内側に設けた。
【００２０】
また、アース線固定ねじ部およびアース線案内溝を覆うカバーを設けた。
【００２１】
【発明の実施の形態】
図１ａは、本発明の実施の形態に関する空気調和機の室内ユニット筐体１の部分正面図であり、室内にてアースを施工する際、筐体１を外すことなく熱交換器側方に設けたアース線固定部２１にアース線５をねじ止めすることができる構造となっている。
【００２２】
図１ｂは、図１ａのＡ−Ａ断面に室内熱交換器２およびドレンパン４の部分表示を加えたものを示している。この構造により、熱交換器のアース線固定ねじ部２１で生じた露が滴下時に飛散しても筐体内側に設けた露案内構造１１（詳細は図３ａおよび図３ｂにて説明）により確実にドレンパン４に導かれる。
【００２３】
図２ａは、図１ａに示すアース線固定ねじ部２１の部分拡大図であり、熱交換器のアース線固定ねじ部２１を筐体１がフランジ状に覆う構造１２となっている。アース線５は一端を熱交換器のアース線固定ねじ部２１に接続され、斜め上方に配線（５ａ）され、筐体と一体成形されたアース線案内溝１３ａおよび１３ｂを通って、電気品箱３の側方に設けられた穴（５ｂ）へと導かれ、他端は空気調和機を据え付けた室内に設けられているアース端子に接続されている。
【００２４】
図２ｂは、アース線固定ねじ部とアース線およびアース線案内溝を覆う蓋であり、これを設けることによってアース線固定ねじ部が完全に隠れるとともに、アース線案内溝に固定したアース線が溝から外れることを防止でき、アース線を確実に固定できる。
【００２５】
図３ａは、図１ｂのアース線固定ねじ部２１周辺の部分拡大図である。図に示す通り、アース線固定ねじ部２１で発生した露を筐体１の内側に一体成形された露案内構造１１部（図３ｂの１１ａ−１１ｂ−１１ｃ参照）によってドレンパンに導く。１１ａ部は、滴下した露を矢印の方向へ導くように傾斜が付けられている。このため、アース線固定ねじ部から落下した露は筐体外部に漏れることなく１１ｂ部および１１ｃ部からドレンパンに導かれる。
【００２６】
【発明の効果】
上記実施例から明らかなように、請求項１に記載の発明によれば、空気調和機を据え付けた室内でアースを施工する場合、熱交換器のアース線固定ねじ部を従来の熱交換器前面から、熱交換器側方に移動させたことによって、吸い込み空気の流路抵抗が減少する。したがって、吸い込み空気の流路抵抗が減少すれば、空気調和機の省エネにつながる。また、熱交換器側方のアース線固定ねじ部にアース線を固定する際、筐体を外す必要がなくアース施工作業が、より簡単に行える構造になっている。
【００２７】
また、請求項２に記載の発明によれば、空気調和機のアースを室内に設置する際、アース線固定ねじ部よりも高い位置に、アース線を室内ユニット背面に導く溝構造があるため、アース線固定ねじ部で発生した露がアース線を伝わって電気品箱へと流れ込むのを防止できる。したがって、熱交換器のアース線固定ねじ部からの露の侵入によって電気品を濡らすことがないため、電気品の水濡れによる故障を防止できる。
【００２８】
また、請求項３に記載の発明によれば、空気調和機の筐体に設けられたアース線固定ねじ部を囲うようなフランジ構造によって、アース線取り付け作業時に、誤ってアースねじが落下し構造部品内部に侵入するのを防止することができるため、作業の効率化が図れる。
【００２９】
また、請求項４に記載の発明によれば、空気調和機を冷房・除湿運転した時に、熱交換器の冷却に伴って熱交換器のアース線固定ねじ部から滴下する露を導くような構造を筐体内側に設けることによって露が筐体の外に漏れることを確実に防止できる。
【００３０】
また、請求項５に記載の発明によれば、アース線固定ねじ部とアース線およびアース線案内溝を覆うカバーを設けることによってアース線固定ねじ部で生じた露がユニット前部に漏れることはない。また、アース線固定ねじ部が完全に隠れるのでアース線固定ねじ部の金具端面に発生しがちな錆が見えなくなり、利用者が空気調和機を清掃する際に美観を損ねることがない。さらにカバーによりアース線案内溝に固定したアース線が溝から外れることがないので、露がアース線を伝わって電気品箱に流入することを防止できる。
【００３１】
【図面の簡単な説明】
【図１】本発明の実施の形態に関する空気調和機の室内ユニット筐体の部分正面図。
【図２】図１のＡ−Ａ断面に室内熱交換器およびドレンパンの部分表示を加えたものと、上記Ａ−Ａ断面の部分拡大図。
【図３】図１のアース線固定ねじ部の部分拡大図。
【符号の説明】
１…室内ユニット筐体、２…熱交換器、３…電気品箱、４…ドレンパン、５…アース線（配線経路５ａ−５ｂを含む）、６…アース線固定ねじ部蓋、１１（詳細部１１ａ−１１ｂ−１１ｃを含む）…露案内構造、１２…アース線取り付け部を覆う筐体フランジ構造、１３ａ，１３ｂ…アース線案内溝、２１…アース線固定ねじ部。
【図１】
2004177062.tif 000003
【図２】
2004177062.tif 000004
【図３】
2004177062.tif 000005